(57)【要約】【課題】  より簡易な構造によって複数の光源の各々の光量を推定し、推定結果によって出力光の色が所定色になるように調整することができる、光源装置を提供する。【解決手段】  光源装置１は、第１の光及び第２の光を発生する光源２１、２２と、光学部材３０と、第１の光路及び第２の光路を統合する光路統合部４０と、第１の光路を第１の分岐光路に分岐させ、第２の光路を第２の分岐光路に分岐させる光路分岐部材５０と、第１の分岐光路及び第２の分岐光路に配置され、第１の光及び第２の光に応じた検出値Ｄを出力する複数の光検出器と、検出値Ｄに応じ、第１の光の第１の光量及び第２の光の第２の光量のうち少なくとも一方を制御する光量制御部８０と、を有する。【選択図】図１
2020009551.tif 000002
【特許請求の範囲】
【請求項１】
第１の光及び第２の光を発生する光源と、
前記第１の光の第１の光路上及び前記第２の光の第２の光路上に配置される光学部材と、
前記第１の光及び前記第２の光が入射し、前記第１の光路及び前記第２の光路を統合する光路統合部と、
前記第１の光路上及び前記第２の光路上に配置され、前記第１の光路を第１の分岐光路に分岐させ、前記第２の光路を第２の分岐光路に分岐させる光路分岐部材と、
前記第１の分岐光路及び前記第２の分岐光路に配置され、前記第１の光及び前記第２の光に応じた検出値を出力する複数の光検出器と、
前記検出値に応じ、前記第１の光の第１の光量及び前記第２の光の第２の光量のうち少なくとも一方を制御する光量制御部と、
を有する光源装置。
【請求項２】
前記光量制御部は、
前記検出値に応じ、前記第１の光量及び前記第２の光量を推定することによって推定結果を出力する推定部を有し、
前記推定結果に応じて前記第１の光量及び前記第２の光量のうち少なくとも一方を制御する、
請求項１に記載の光源装置。
【請求項３】
前記第１の光及び前記第２の光は、レーザ光であり、
前記光源は、前記第１の光を発生する第１のレーザ光源と、前記第２の光を発生する第２のレーザ光源とを有し、
前記光学部材は、前記第１の光及び前記第２の光を前記光路統合部に入射させるレンズを有し、
前記光路分岐部材は、前記第１の光及び前記第２の光の一部を透過し、一部を反射するハーフミラーである、
請求項１に記載の光源装置。
【請求項４】
記憶部を有し、
前記記憶部は、基準光量及び重み量を記憶し、
前記推定部は、前記重み量と前記検出値に基づいた演算によって前記第１の光量及び前記第２の光量を推定することによって前記推定結果を出力し、
前記光量制御部は、前記基準光量及び前記推定結果に応じて前記第１の光量及び前記第２の光量のうち少なくとも一方を制御する、
請求項２に記載の光源装置。
【請求項５】
前記推定部は、前記検出値と前記第１の光量及び前記第２の光量との関係を示す行列を用い、前記検出値に基づいて、前記第１の光量及び前記第２の光量を算出する、請求項２に記載の光源装置。
【発明の詳細な説明】
【技術分野】
【０００１】
本発明は、光源装置に関する。
【背景技術】
【０００２】
従来、例えば、撮像装置によって撮像する被写体を照明できるように、出力光を出力する光源装置がある。光源装置は、各色の光源間の光量比率を変化させ、出力光が所定色になるように調整することがある。
【０００３】
例えば、特開平１１−２０１８９４号公報には、光学ヘッド内にセンサを設置し、センサによって得られる分光出力を分光解析装置によって解析し、光源間の強度の割合が希望するものと一致していない場合は、光量調整手段を用い、各光源の出力を調整する、観察光学系用照明装置が開示される。
【先行技術文献】
【特許文献】
【０００４】
【特許文献１】特開平１１−２０１８９４号公報
【発明の概要】
【発明が解決しようとする課題】
【０００５】
しかし、従来の光源装置では、出力光の色が所定色になるように調整するためには、例えば分光解析装置等、出力光を解析するための構造の複雑な装置を要し、製造にコストがかかる。
【０００６】
そこで、本発明は、簡易な構造によって複数の光源の各々の光量を推定し、推定結果によって出力光の色が所定色になるように調整することができる、光源装置を提供することを目的とする。
【課題を解決するための手段】
【０００７】
本発明の一態様の光源装置は、第１の光及び第２の光を発生する光源と、前記第１の光の第１の光路上及び前記第２の光の第２の光路上に配置される光学部材と、前記第１の光及び前記第２の光が入射し、前記第１の光路及び前記第２の光路を統合する光路統合部と、前記第１の光路上及び前記第２の光路上に配置され、前記第１の光路を第１の分岐光路に分岐させ、前記第２の光路を第２の分岐光路に分岐させる光路分岐部材と、前記第１の分岐光路及び前記第２の分岐光路に配置され、前記第１の光及び前記第２の光に応じた検出値を出力する複数の光検出器と、前記検出値に応じ、前記第１の光の第１の光量及び前記第２の光の第２の光量のうち少なくとも一方を制御する光量制御部と、を有する。
【発明の効果】
【０００８】
本発明によれば、より簡易な構造によって複数の光源の各々の光量を推定し、推定結果によって出力光の色が所定色になるように調整することができる、光源装置を提供することができる。
【図面の簡単な説明】
【０００９】
【図１】本発明の実施形態に係わる、光源装置の一例を示すブロック図である。
【図２】本発明の実施形態に係わる、光源装置の各光源の配置例を示す図である。
【図３】本発明の実施形態に係わる、光源装置の光検出部の構成の一例を説明する図である。
【図４】本発明の実施形態に係わる、光源装置の光量制御処理の一例を示すフローチャートである。
【発明を実施するための形態】
【００１０】
図面を参照しながら、本発明の実施形態を説明する。
【００１１】
（構成）
図１は、本発明の実施形態に係わる、光源装置１の一例を示すブロック図である。図２は、光源装置１の光源の各々の配置例を示す図である。図３は、光源装置１の光検出部６０の構成の一例を説明する図である。
【００１２】
図１に示すように、光源装置１は、出力光Ｌｏを外部に出力する。光源装置１は、駆動回路１０、光源２０、光学部材３０、光路統合部４０、光路分岐部材５０、光検出部６０、検出回路７０、及び、光量制御部８０を有する。
【００１３】
駆動回路１０は、光源２０を駆動する回路である。駆動回路１０は、光源２０及び光量制御部８０と接続される。駆動回路１０は、光量制御部８０から入力される指示信号Ｖに応じた駆動電流Ｉ１、Ｉ２、Ｉ３を光源２０に出力する。駆動電流Ｉ１、Ｉ２、Ｉ３の全部又は一部を示すとき、駆動電流Ｉという。
【００１４】
図２に示すように、光源２０は、光Ｌを発生して出射する回路である。光源２０は、レーザダイオード等の発光素子を有する。光源２０は、光Ｌを発生させて光学部材３０へ向けて出射する。光源２０は、光源２１、２２、２３を有する。光源２１、２２、２３の全部又は一部を示すとき、光源２０という。光源２０の各々は、光路Ｏが異なるように、互いに異なる位置に配置される。
【００１５】
光源２１は、駆動電流Ｉ１に応じて光Ｌ１を出射する。光源２２は、駆動電流Ｉ２に応じて光Ｌ２を出射する。光源２３は、駆動電流Ｉ３に応じて光Ｌ３を出射する。光Ｌ１、Ｌ２、Ｌ３の全部又は一部を示すとき、光Ｌという。
【００１６】
光Ｌは、互いに周波数帯域が異なる。例えば、光Ｌ１が赤色帯域であり、光Ｌ２が緑色帯域であり、光Ｌ３が青色帯域である。
【００１７】
光学部材３０は、光源２０の各々から入射した光Ｌの各々を光路統合部４０に出射する。光学部材３０は、コリメータレンズ３１及び集光レンズ３２を有する。
【００１８】
コリメータレンズ３１は、光源２０の各々に対応付けて設けられる。コリメータレンズ３１の各々は、光源２０の各々から入射した、放射角を有する光Ｌの各々を、平行光に変換し、集光レンズ３２に出射する。
【００１９】
コリメータレンズ３１の各々から入射した光Ｌの各々は、集光レンズ３２上の互いに異なる位置に入射される。集光レンズ３２は、コリメータレンズ３１の各々から入射した光Ｌの各々が集光するように、光路統合部４０に光Ｌを出射する。
【００２０】
光路統合部４０は、入射部４１に入射した光Ｌの光路Ｏの各々を統合し、出射部４２から外部に出射する。光路統合部４０は、例えば、入射部４１が一方の端部に設けられ、出射部４２が他方の端部に設けられた、光ガイドを有する。
【００２１】
光源２１から入射部４１までが光Ｌ１の光路Ｏ１である。光源２２から入射部４１までが光Ｌ２の光路Ｏ２である。光源２３から入射部４１までが光Ｌ３の光路Ｏ３である。光路Ｏ１、Ｏ２、Ｏ３の全部又は一部を示すとき、光路Ｏという。
【００２２】
光路分岐部材５０は、光路Ｏ上に配置される。例えば、光路分岐部材５０は、光Ｌの一部を透過し、一部を反射するハーフミラーを有する。光路分岐部材５０は、光Ｌの一部を光路Ｏに通すと共に、光Ｌの一部が通る光路Ｏを分岐光路Ｏｂに分岐させる。より具体的には、光路分岐部材５０は、光Ｌ１の一部を分岐光路Ｏｂ１に通し、光Ｌ２の一部を分岐光路Ｏｂ２に通し、光Ｌ３の一部を分岐光路Ｏｂ３に通す。分岐光路Ｏｂ１、Ｏｂ２、Ｏｂ３の全部又は一部を示すとき、分岐光路Ｏｂという。
【００２３】
図３に示すように、光検出部６０は、光Ｌを検出し、検出信号Ｓを検出回路７０に出力する回路である。光検出部６０は、光検出器６１、６２、６３を有する。光検出器６１、６２、６３は、フォトダイオード等の受光素子によって構成される。光検出部６０は、光検出器６１、６２、６３のいずれかに光Ｌの各々が集中しないように、分岐光路Ｏｂ上に配置される。光検出器６１が検出信号ｓ１を出力し、光検出器６２が検出信号ｓ２を出力し、光検出器６３が検出信号ｓ３を出力する。検出信号ｓ１、ｓ２、ｓ３の全部又は一部を示すとき、検出信号Ｓという。
【００２４】
なお、図３の例では、光検出部６０が４分割したフォトダイオードによって構成され、光検出器６４が設けられるが、光検出器６４は、設けなくてもよい。
【００２５】
検出回路７０は、検出信号Ｓを検出値Ｄに変換し、光量制御部８０に出力する回路である。より具体的には、検出回路７０は、光検出部６０から入力した検出信号Ｓを、検出信号Ｓの各々に対応した検出値ｄ１、ｄ２、ｄ３に変換し、光量制御部８０に出力する。検出値ｄ１、ｄ２、ｄ３の全部又は一部を示すとき、検出値Ｄという。
【００２６】
なお、検出回路７０は、検出信号Ｓのノイズ除去等の信号処理を行って検出値Ｄに変換してもよい。
【００２７】
光量制御部８０は、駆動回路１０と接続され、駆動回路１０に指示信号Ｖを出力し、光源２０を制御する回路である。光量制御部８０は、プロセッサ８１、記憶部であるメモリ８２を有する。
【００２８】
プロセッサ８１は、メモリ８２、外部記憶装置又は外部端末装置から読み込んだ各種プログラムを実行可能である。光量制御部８０の機能は、プロセッサ８１がプログラムを実行することによって実現される。また、光量制御部８０の機能の全部又は一部は、例えば、ＦＰＧＡ、又はＡＳＩＣ等を有する回路によって構成されてもよい。
【００２９】
メモリ８２は、例えば、フラッシュＲＯＭ等の読み書き可能な記憶素子を有する。メモリ８２には、光量制御処理部Ｔのプログラム、基準光量Ｕ及び重み量Ｗが記憶される。
【００３０】
光量制御処理部Ｔは、推定部Ｔａによって光Ｌの光量Ｐを推定し、推定結果に応じて光源２０の制御を行う。推定部Ｔａは、重み量Ｗと検出値Ｄに基づいた演算によって光量Ｐを算出する。
【００３１】
より具体的には、数式（１）に示すように、推定部Ｔａは、重み量Ｗと検出値Ｄの行列演算によって光量Ｐを算出する。
2020009551.tif 000003
【００３２】
光量Ｐは、推定部Ｔａによって算出される。光量Ｐは、光量ｐ１、ｐ２、ｐ３を有する。光量ｐ１、ｐ２、ｐ３の全部又は一部を示すとき、光量Ｐという。光量Ｐは、光源２０の各々に対応付けられた光量Ｐの各々を有する。より具体的には、光量ｐ１が光源２１に対応付けられ、光量ｐ２が光源２２に対応付けられ、光量ｐ３が光源２３に対応付けられる。
【００３３】
光量Ｐが基準光量Ｕよりも小さいとき、光量制御処理部Ｔは、指示光量を所定量増加させた指示信号Ｖを駆動回路１０に出力する。一方、光量制御処理部Ｔは、光量Ｐが基準光量Ｕよりも大きいとき、指示光量を所定量減少させた指示信号Ｖを駆動回路１０に出力する。
【００３４】
指示信号Ｖは、例えば、デューティによって指示光量を指示するＰＷＭ信号によって構成される。指示信号Ｖは、光源２０の各々に対応付けられた指示信号ｖ１、ｖ２、ｖ３を有する。
【００３５】
指示光量の初期値は、出力光Ｌｏが所定色になるように、予め調整して定められる。
【００３６】
所定量は、色調整の速度及び精度が好ましくなるように、予め定められる。所定量を大きく設定すると、色調整は、速度が上昇し、精度が低下する。一方、所定量を小さく設定すると、色調整は、速度が低下し、精度が上昇する。
【００３７】
基準光量Ｕは、光源２０の各々に対応付けられた基準光量ｕ１、ｕ２、ｕ３を有する。基準光量ｕ１、ｕ２、ｕ３の全部又は一部を示すとき、基準光量Ｕという。基準光量Ｕの各々は、所定色及び所定出力光量の出力光Ｌｏを出力できるように、予め定められる。出力光Ｌｏは、色が基準光量Ｕの互いの比率によって変化し、出力光量が基準光量Ｕの大きさによって変化する。
【００３８】
重み量Ｗは、光量Ｐ及び検出値Ｄに基づいて、予め定められる。重み量Ｗは、Ｍ行Ｎ列の成分を有し、光量Ｐの互いの関係を示す行列によって構成される。数式（１）の例では、重み量Ｗは、３次の正則行列である。
【００３９】
重み量Ｗは、数式（２）における重み行列Ａの逆行列であってもよい。重み行列Ａは、３次の正則行列によって構成される。重み行列Ａにおける行列成分ａ１１〜ａ３３の各々は、光源２０の各々から、順に、光Ｌの各々を出射させ、検出値Ｄを計測することによって算出される。
2020009551.tif 000004
【００４０】
例えば、光源装置１は、所定光量ｐ１の光Ｌ１が出射されるように光源２１を駆動し、光源２２、２３を停止する。光源２２、２３から光Ｌ２、Ｌ３が出射されないため、光量ｐ２、ｐ３は０である。光検出部６０及び検出回路７０によって検出値Ｄを検出すると、行列成分ａ１１、ａ２１、ａ３１は、数式（３）〜（５）によって算出される。
ａ１１×ｐ１＋ａ１２×ｐ２＋ａ１３×ｐ３＝ａ１１×ｐ１＝ｄ１
ａ２１×ｐ１＋ａ２２×ｐ２＋ａ２３×ｐ３＝ａ２１×ｐ１＝ｄ２
ａ３１×ｐ１＋ａ３２×ｐ２＋ａ３３×ｐ３＝ａ３１×ｐ１＝ｄ３
ａ１１＝ｄ１／ｐ１  ・・・（３）
ａ２１＝ｄ２／ｐ１  ・・・（４）
ａ３１＝ｄ３／ｐ１  ・・・（５）
【００４１】
同様に、所定光量ｐ２の光Ｌ２が出射されるように光源２２を駆動し、光源２１、２３を停止し、検出値Ｄを検出すると、行列成分ａ１２、ａ２２、ａ３２が、算出される。また、所定光量ｐ３の光Ｌ３が出射されるように光源２３を駆動し、光源２１、２２を停止し、検出値Ｄを検出すると、行列成分ａ１３、ａ２３、ａ３３が、算出される。
【００４２】
算出された行列成分ａ１１〜ａ３３を有する重み行列Ａ、光量Ｐ及び検出値Ｄの関係は、ＡＰ＝Ｄによって示される（数式（２））。
【００４３】
重み量Ｗは、重み行列Ａの逆行列を求める演算によって算出される。
【００４４】
なお、両辺を変形すると、ＷＡＰ＝ＷＤが成立する。さらに左辺を整理すると、光量Ｐ、重み量Ｗ及び検出値Ｄの関係は、Ｐ＝ＷＤによって示される（数式（１））。
【００４５】
すなわち、光源２１、２２は、光Ｌ１と、光Ｌ２を発生する。光学部材３０は、光Ｌ１の光路Ｏ１上及び光Ｌ２の光路Ｏ２上に配置される。光路統合部４０は、光Ｌ１及び光Ｌ２が入射し、光路Ｏ１及び光路Ｏ２を統合する。光路分岐部材５０は、光路Ｏ１上及び光路Ｏ２上に配置され、光路Ｏ１を分岐光路Ｏｂ１に分岐させ、光路Ｏ２を分岐光路Ｏｂ２に分岐させる。複数の光検出器６１、６２、６３は、分岐光路Ｏｂ１及び分岐光路Ｏｂ２に配置され、光Ｌ１及び光Ｌ２に応じた検出値Ｄを出力する。光量制御部８０は、検出値Ｄに応じ、光Ｌ１の光量ｐ１及び光Ｌ２の光量ｐ２のうち少なくとも一方を制御する。
【００４６】
また、光量制御部８０は、検出値Ｄに応じ、光量ｐ１及び光量ｐ２を推定することによって推定結果を出力する推定部Ｔａを有し、推定結果に応じて光量ｐ１及び光量ｐ２のうち少なくとも一方を制御する。より具体的には、推定部Ｔａは、重み量Ｗと検出値Ｄに基づいた演算によって光量ｐ１及び光量ｐ２を推定することによって推定結果を出力し、光量制御部８０は、基準光量Ｕ及び推定結果に応じて光量ｐ１及び光量ｐ２のうち少なくとも一方を制御する。推定部Ｔａは、検出値Ｄ及び重み量Ｗに基づいて、光量ｐ１及び光量ｐ２を算出する。重み量Ｗは、検出値Ｄと、光量ｐ１及び光量ｐ２との関係を示す行列によって構成される。推定部Ｔａは、検出値Ｄと光量Ｌ１及び光量Ｌ２との関係を示す行列を用い、検出値Ｄに基づいて、光量Ｌ１及び光量Ｌ２を算出する。
【００４７】
また、光Ｌ１及び光Ｌ２は、レーザ光である。光源２１、２２は、光Ｌ１を発生する第１のレーザ光源と、光Ｌ２を発生する第２のレーザ光源とを有する。光学部材３０は、光Ｌ１及び光Ｌ２を光路統合部４０に入射させるレンズを有する。光路分岐部材５０は、光Ｌの一部を透過し、一部を反射するハーフミラーである。
【００４８】
（動作）
光源装置１の動作について、説明をする。
【００４９】
図４は、本発明の実施形態に係わる、光源装置１の光量制御処理の一例を示すフローチャートである。
【００５０】
光量制御部８０は、メモリ８２から指示光量の初期値を読み込み、指示光量に応じた指示信号Ｖを駆動回路１０に出力する。駆動回路１０は、指示信号Ｖに応じた駆動電流Ｉを光源２０に出力する。光源２０は、光Ｌを出射する。
【００５１】
光Ｌの一部は、光路Ｏを通り、入射部４１に入射され、光路統合部４０によって統合される。光路統合部４０は、出射部４２から出力光Ｌｏを外部に出力する。
【００５２】
光Ｌの一部は、光路分岐部材５０によって分岐光路Ｏｂを通り、光検出部６０に出射される。
【００５３】
光検出部６０は、光Ｌを検出し、検出信号Ｓを検出回路７０に出力する。検出回路７０は、検出信号Ｓを検出値Ｄに変換し、光量制御部８０に出力する。
【００５４】
プロセッサ８１は、光量制御処理部Ｔのプログラムをメモリ８２から読み込み、実行する。
【００５５】
プロセッサ８１は、重み量Ｗを取得する（Ｓ１１）。
【００５６】
プロセッサ８１は、基準光量Ｕを取得する（Ｓ１２）。
【００５７】
プロセッサ８１は、検出値Ｄを取得する（Ｓ１３）。
【００５８】
プロセッサ８１は、検出値Ｄ及び重み量Ｗに基づいて、光量Ｐを算出する（Ｓ１４）。
【００５９】
Ｓ１５〜Ｓ１８の処理は、光源２０の各々について、繰り返して行われる。例えば、繰り返し１回目では、基準光量ｕ１、光量ｐ１及び指示信号ｖ１に基づいて、光源２１の制御処理が行われ、繰り返し２回目では、基準光量ｕ２、光量ｐ２及び指示信号ｖ２に基づいて、光源２２の制御処理が行われ、繰り返し３回目では、基準光量ｕ３、光量ｐ３及び指示信号ｖ３に基づいて、光源２３の制御処理が行われる。
【００６０】
プロセッサ８１は、基準光量Ｕに対し、Ｓ１４によって算出した光量Ｐにおける誤差が所定の誤差を超えているか否かを判定する（Ｓ１５）。基準光量Ｕに対する光量Ｐの誤差が所定の誤差以下であるとき（Ｓ１５：ＮＯ）、処理は、Ｓ１９に進む。一方、基準光量Ｕに対する光量Ｐの誤差が所定の誤差を超えているとき（Ｓ１５：ＹＥＳ）、処理は、Ｓ１６に進む。
【００６１】
プロセッサ８１は、基準光量Ｕが光量Ｐよりも大きいか否か判定する（Ｓ１６）。基準光量Ｕが光量Ｐよりも大きいとき（Ｓ１６：ＹＥＳ）、処理は、Ｓ１７に進む。一方、基準光量Ｕが光量Ｐよりも小さいとき（Ｓ１６：ＮＯ）、処理は、Ｓ１８に進む。
【００６２】
Ｓ１７では、プロセッサ８１は、メモリ８２から指示光量を読み込み、指示光量を所定量減少させた指示信号Ｖを駆動回路１０に出力する。Ｓ１７の後、処理はＳ１９に進む。
【００６３】
Ｓ１８では、プロセッサ８１は、メモリ８２から指示光量を読み込み、指示光量を所定量増加させた指示信号Ｖを駆動回路１０に出力する。
【００６４】
Ｓ１７及びＳ１８において変化した指示光量は、次回の使用に備えてメモリ８２に記憶される。
【００６５】
プロセッサ８１は、全部の光源２０の制御処理が終了したか判定する（Ｓ１９）。プロセッサ８１は、全部の光源２０の制御処理が終了するまでＳ１５〜Ｓ１８の処理を繰り返す（Ｓ１９：ＮＯ）。全部の光源２０の制御処理が終了したとき（Ｓ１９：ＹＥＳ）、処理はＳ１３に戻り、次回の光量制御処理を行う。
【００６６】
Ｓ１１〜Ｓ１４の処理が、推定部Ｔａの推定処理を構成する。
【００６７】
Ｓ１１〜Ｓ１９の処理が、光量制御処理部Ｔの処理を構成する。
【００６８】
例えば、光源２１の製造誤差又は劣化等によって規定光量を有する光Ｌ１が出力されないとき、光検出部６０及び検出回路７０によって出力される検出値Ｄは、規定光量を有する光Ｌ１が出力されたときよりも小さくなる。光量制御部８０では、推定部Ｔａの演算によって検出値Ｄに基づいて光量ｐ１を算出するが、光量ｐ１は、基準光量ｕ１よりも小さくなる。光量制御部８０は、指示光量を所定量増加させ、指示信号ｖ１を駆動回路１０に出力する。駆動回路１０が指示光量の増加に応じて駆動電流Ｉ１も増加すると、光源２１は、出力光量を増加させる。光量制御処理を繰り返すことにより、光源２１の光量ｐ１は、基準光量ｕ１に収束するように調整される。
【００６９】
同様に、光源２２、２３も、光量ｐ２、ｐ３が基準光量ｕ２、ｕ３に収束するように調整される。
【００７０】
これにより、光源装置１は、推定部Ｔａの推定した光量Ｐの各々が基準光量Ｕの各々に収束するように調整され、光量Ｐの各々によって調整された光Ｌの各々が光路統合部４０によって統合され、出力光Ｌｏの色が所定色になるように調整される。
【００７１】
実施形態では、光源装置１は、より簡易な構造によって複数の光源２１、２２、２３の各々の光量Ｐを推定し、推定結果によって出力光Ｌｏの色が所定色になるように調整することができる。
【００７２】
なお、実施形態では、指示信号Ｖがデューティによって駆動電流Ｉを指示するＰＷＭ信号である例を説明したが、指示信号Ｖは、ＰＷＭ信号に限定されない。指示信号Ｖは、例えば、電圧値によって駆動電流Ｉを指示する電圧信号であってもよいし、数値によって駆動電流Ｉを指示する情報信号であってもよいし、他の信号であってもよい。
【００７３】
なお、実施形態では、光源２０が電流駆動である例を説明したが、電流駆動に限定されない。光源２０は、例えば、ＰＷＭ信号等他の方式によって駆動されてもよい。
【００７４】
なお、実施形態では、光源２０がレーザダイオード等の発光素子を有する例を説明したが、レーザダイオードに限定されない。光源２０は、例えば、ＬＥＤ等、他の発光素子を有してもよい。
【００７５】
なお、実施形態では、光源２１、２２、２３を３個有する例を説明したが、３個に限定されない。光源は、２個でもよいし、４個以上であってもよい。
【００７６】
なお、実施形態では、光Ｌ１が赤色帯域光であり、光Ｌ２が緑色帯域光であり、光Ｌ３が青色帯域光である例を説明したが、これらに限定されない。例えば、光Ｌのいずれかが、狭帯域光であってもよいし、各色の中間色の帯域光であってもよいし、複数色を含む広帯域光であってもよいし、白色光であってもよい。
【００７７】
なお、実施形態では、光路統合部４０が光ガイドによって構成されるが、これに限定されない。光路統合部４０は、例えば、レンズ等の光学系によって構成されてもよい。
【００７８】
なお、実施形態では、光検出器６１、６２、６３、６４を４個有する例を説明したが、４個に限定されない。光検出器は、２個又は３個でもよいし、５個以上であってもよい。
【００７９】
なお、実施形態では、重み量Ｗが３次の正則行列の例を記載したが、２次又は４次以上であってもよい。また、重み量Ｗは、正則行列でなくてもよいし、正方行列でなくてもよい。重み量Ｗの成分の各々は、所定色の光Ｌが出力されるように、例えば、駆動電流Ｉ、光量Ｐ、検出値Ｄ及び指示信号Ｖのいずれかを計測し、計測結果に応じて調整して定めてもよい。
【００８０】
本実施形態における各手順の各ステップは、その性質に反しない限り、実行順序を変更し、複数同時に実行し、あるいは実行毎に異なった順序で実行してもよい。さらに、本実施形態における各手順の各ステップの全部あるいは一部をハードウェアにより実現してもよい。
【００８１】
本発明は、上述した実施の形態に限定されるものではなく、本発明の要旨を変えない範囲において、種々の変更、改変等が可能である。
【符号の説明】
【００８２】
１     光源装置
１０   駆動回路
２０   光源
２１   光源
２２   光源
２３   光源
３０   光学部材
３１   コリメータレンズ
３２   集光レンズ
４０   光路統合部
４１   入射部
４２   出射部
５０   光路分岐部材
６０   光検出部
６１   光検出器
６２   光検出器
６３   光検出器
６４   光検出器
７０   検出回路
８０   光量制御部
８１   プロセッサ
８２   メモリ
Ｄ     検出値
Ｉ     駆動電流
Ｉ１   駆動電流
Ｉ２   駆動電流
Ｉ３   駆動電流
Ｌ     光
Ｌｏ   出力光
Ｌ１   光
Ｌ２   光
Ｌ３   光
Ｏ     光路
Ｏ１   光路
Ｏ２   光路
Ｏ３   光路
Ｏｂ   分岐光路
Ｏｂ１ 分岐光路
Ｏｂ２ 分岐光路
Ｏｂ３ 分岐光路
Ｐ     光量
Ｓ     検出信号
Ｔ     光量制御処理部
Ｔａ   推定部
Ｕ     基準光量
Ｖ     指示信号
Ｗ     重み量
【図１】
2020009551.tif 000005
【図２】
2020009551.tif 000006
【図３】
2020009551.tif 000007
【図４】
2020009551.tif 000008